Podtech/llm-jp-corpus-v4-ja_patent huggingface dataset:
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
軟組織または骨にシート状移植物を取り付けるためのステープルであって、
基端部および先端部を有する第１のアームと、基端部および先端部を有する第２のアームと、第１のアームの基端部から第２のアームの基端部まで延びるブリッジと、
第１のアームの先端部に隣接する基端部を有する第１の錨爪と、同第１の錨爪は、第１のアームから先端側へ延びることと、該第１の錨爪は、第１のアームの側面の範囲より大きな側面の範囲を有しかつ第１のアームに偏心的に取り付けられることと、該第１の錨爪は、第１のアームの先端部から離間するように外方に角度をなして基端側の方向に突出する基端側表面を含み、該第１の錨爪は、挿入されると、軟組織または骨と係合するように構成され、該第１の錨爪が軟組織または骨と係合すると、ブリッジに作用される通常の引き抜き力に応じて第１の錨爪はトグル位置へ回転するように構成されることと、
第２のアームの先端部に隣接する基端部を有する第２の錨爪とを備え、同第２の錨爪は、該第２のアームから先端側に延び、該第２の錨爪は、第２のアームの側面の範囲より大きな側面の範囲を有しかつ第２のアームに偏心的に取り付けられることと、該第２の錨爪は、第２のアームから離間するように外方に角度をなして基端側の方向に突出する基端側表面を含み、該第２の錨爪は、挿入されると、軟組織または骨と係合するように構成され、該第２の錨爪が軟組織または骨と係合すると、ブリッジに作用される通常の引き抜き力に応じて第２の錨爪はトグル位置へ回転するように構成されることとを特徴とするステープル。
【請求項２】
前記ステープルは、第１の錨爪および第２の錨爪が軟組織または骨と係合するに先立って前記第１のアームおよび第２のアームが第１の長手方向軸および第２の長手方向軸を形成し、第１の錨爪および第２の錨爪が軟組織または骨と係合するときに第１の錨爪が第１の長手方向軸に対するトグル位置へ回転し、第２の錨爪が第２の長手方向軸に対するトグル位置へ回転するように構成されることを特徴とする請求項１に記載のステープル。
【請求項３】
前記第２の錨爪の回転は、該第１の錨爪の回転とは反対方向であることを特徴とする請求項２に記載のステープル。
【請求項４】
前記第１の錨爪および第２の錨爪がブリッジに作用される通常の引き抜き力に応じてトグル位置へ回転するときに、前記第１のアームおよび第２のアームは屈曲するように構成されることを特徴とする請求項１に記載のステープル。
【請求項５】
前記通常の引き抜き力は、ステープルが患者に移植された後に軟組織や骨において生じる圧力、あるいは軟組織や骨によって生じる圧力を含むことを特徴とする請求項１に記載のステープル。
【請求項６】
前記第１のアームから第２のアームに向かって延びるかかりや突出部はなく、第２のアームから第１のアームに向かって延びるかかりや突出部はないことを特徴とする請求項１に記載のステープル。
【請求項７】
前記第１の錨爪および第２の錨爪が軟組織または骨と係合するときに、前記第１の錨爪および第２の錨爪がブリッジに作用される通常の引き抜き力に応じてトグル位置へ回転するように構成されることを特徴とする請求項１に記載のステープル。
【請求項８】
前記錨爪の各々の側面の範囲は、これに隣接するアームの側面の範囲の少なくとも３倍であることを特徴とする請求項１に記載のステープル。
【請求項９】
前記第１のアームおよび第２のアームの側面の範囲は、０．３ｍｍ乃至３．０ｍｍであることを特徴とする請求項８に記載のステープル。
【請求項１０】
前記第１の錨爪および第２の錨爪の各々は、それぞれの基端部から先端部まで延びかつ第１の錨爪および第２の錨爪の各々に取り付けられるアームから横断方向に離間するルーメンを含むことを特徴とする請求項１に記載のステープル。
【請求項１１】
前記第１の錨爪および第２の錨爪のルーメンはそれぞれステープル搬送器具の第１の棒および第２の棒を受容する寸法に形成されることを特徴とする請求項１０に記載のステープル。
【請求項１２】
前記第１の錨爪の基端側表面は第１の棒と係合し、第２の錨爪の基端側表面は組織にステープルを挿入するために押圧力を受容すべく第２の棒と係合することを特徴とする請求項１０に記載のステープル。
【請求項１３】
前記第１のアームおよび第２のアームの各々の長さ部分の少なくとも一部は、各錨爪が軟組織または骨に対して回転係合するように第１の錨爪および第２の錨爪を該少なくとも一部に対して屈曲させるべく可撓性を備えることを特徴とする請求項１に記載のステープル。
【請求項１４】
前記第１のアーム、第２のアーム、第１の錨爪、第２の錨爪、基端側表面およびブリッジは、高分子材料から一体的に形成されることを特徴とする請求項８に記載のステープル。
【請求項１５】
前記高分子材料は生体分解性を備えることを特徴とする請求項１４に記載のステープル。
【請求項１６】
前記第１の錨爪の外方に角度をなして突出する基端側表面は、外方に角度をなして突出する基端側表面の一部を第１のかかりおよび第２のかかりに分割する第１の切り欠きを備えることを特徴とする請求項１に記載のステープル。
【請求項１７】
前記第２の錨爪の外方に角度をなして突出する基端側表面は、外方に角度をなして突出する基端側表面の一部を第１のかかりおよび第２のかかりに分割する第１の切り欠きを備えることを特徴とする請求項１に記載のステープル。
【請求項１８】
前記通常の引き抜き力は、ステープルが患者に移植された後の腱の通常の関節運動時に生じることを特徴とする請求項５に記載のステープル。
【請求項１９】
前記第１の錨爪の第１のアームの先端から離間する基端側の方向に外方に角度をなして突出する基端側表面は、軟組織や骨と係合するために鋭利な表面を含み、第２の錨爪の第２のアームの先端から離間する基端側の方向に外方に角度をなして突出する基端側表面は、軟組織や骨と係合するために鋭利な表面を含むことを特徴とする請求項１０に記載のステープル。
【請求項２０】
前記第１の錨爪の先端は、１つ以上のかかりを含み、前記第２の錨爪の先端は、１つ以上のかかりを含むことを特徴とする請求項１９に記載のステープル。
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
生体補綴心臓弁を支持するための構造体であって、
中心長軸を備えた円筒状のアンカ構造体を有し、この円筒状のアンカ構造体が、
複数の山と谷を有する少なくとも１つの正弦波形状のワイヤを含む流入リングと、
複数の山と谷を有する少なくとも１つの正弦波形状のワイヤを含む流出リングと、
長軸を有し前記流入リングと流出リングとを接続する少なくとも１つの可撓性交連部支柱と備え、
該可撓性交連部支柱が、前記円筒状のアンカ構造体の中心長軸上の任意の点と前記可撓性交連部支柱の長軸の任意の点とを結ぶすべての直線を含む表面により規定される平面に沿って曲げ可撓性を有する、
ことを特徴とする構造体。
【請求項２】
前記少なくとも１つの可撓性交連部支柱が、前記流出リングに動作可能に接続されたパドル部を含み、このパドル部がその長軸に沿って延びる軸溝を含む、
請求項１のアンカ構造体。
【請求項３】
前記少なくとも１つの可撓性交連部支柱が、少なくとも１つの山と１つの谷を有する単一のワイヤを含む、
請求項１または２のアンカ構造体。
【請求項４】
前記単一ワイヤが複数の通常の正弦波を形成する複数の山と谷を有する、
請求項３のアンカ構造体。
【請求項５】
前記正弦波の周波数が可撓性交連部支柱の長軸に沿って変化する、
請求項４のアンカ構造体。
【請求項６】
前記正弦波の波長が可撓性交連部支柱の長軸に沿って変化する、
請求項４または５のアンカ構造体。
【請求項７】
前記正弦波の波長が可撓性交連部支柱の長軸に沿って実質的に一定である、
請求項４のアンカ構造体。
【請求項８】
前記可撓性交連部支柱の曲げ可撓性が、正弦波の周波数が増えるにつれて向上する、
請求項４のアンカ構造体。
【請求項９】
前記可撓性交連部支柱の曲げ可撓性が、正弦波の波高が高くなるにつれて向上する、
請求項４または８のアンカ構造体。
【請求項１０】
前記可撓性交連部支柱の曲げ可撓性が、隣接する波間のピークトゥピーク距離が減少するにつれて向上する、
請求項４または９のアンカ構造体。
【請求項１１】
前記流入リングが、それぞれ複数の山と谷を有する第１の正弦波形状のワイヤおよび第２の正弦波形状のワイヤを含む、
請求項３のアンカ構造体。
【請求項１２】
前記第１の正弦波形状のワイヤの山が、第２の正弦波形状のワイヤの谷と結合している、
請求項１１のアンカ構造体。
【請求項１３】
前記少なくとも１つの可撓性交連部支柱が、垂直な接続部品を含み、
この垂直な接続部品が第１の正弦波形状ワイヤの山の１つと、第２の正弦波形状ワイヤの谷の１つとの間の交点で流入リングに結合している、
請求項１２のアンカ構造体。
【請求項１４】
前記少なくとも１つの可撓性交連部支柱が第１および第２のワイヤを含み、このワイヤがそれぞれ少なくとも１つの山と１つの谷を有する、
請求項１または２のアンカ構造体。
【請求項１５】
前記第１のワイヤの少なくとも１つの山が、第２のワイヤの少なくとも１つの谷と当接する、
請求項１４のアンカ構造体。
【請求項１６】
前記第１および第２のワイヤがそれぞれ、複数の一般的な正弦波を形成する複数の山と谷を有する、
請求項１５のアンカ構造体。
【請求項１７】
前記可撓性交連部支柱の曲げ可撓性が、第１および第２のワイヤの正弦波の周波数が増えるにつれて向上する、
請求項１６のアンカ構造体。
【請求項１８】
前記可撓性交連部支柱の曲げ可撓性が、第１および第２のワイヤの正弦波の波高が増えるにつれて向上する、
請求項１６または１７のアンカ構造体。
【請求項１９】
前記可撓性交連部支柱の曲げ可撓性が、第１および第２のワイヤの隣接する波間のピーク間距離が減少するにつれて向上する、
請求項１６または１８のアンカ構造体。
【請求項２０】
前記交連部支柱の曲げ可撓性が、剛性または半剛性の交連部支柱よりも１０％を超えて大きい、
請求項１または２のアンカ構造体。
【請求項２１】
前記少なくとも１つの可撓性交連部支柱のパドル部が流出リングの谷の１つに接続されている、
請求項２のアンカ構造体。
【請求項２２】
前記少なくとも１つの可撓性交連部支柱のパドル部が流出リングの山の１つに接続されている、
請求項２のアンカ構造体。
【請求項２３】
さらに、円筒状のアンカ構造体内に取り付けた生体補綴心臓弁と、
流入端および流出端を有する弁本体を形作る複数の弁葉を含む生体補綴心臓弁と、を備えた請求項２のアンカ構造体。
【請求項２４】
隣接する弁葉が、弁葉の結合部で縫い合わせることにより共に結合され、交連部ツメが弁本体の流出端近くのそれぞれの縫い目から伸長している、
請求項２３のアンカ構造体。
【請求項２５】
前記円筒状のアンカ構造体が複数の可撓性交連部支柱を含み、生体補綴心臓弁が、可撓性交連部支柱のパドルの軸溝を通って交連部支柱を通ることにより、円筒状のアンカ構造体に固定される、
請求項２４のアンカ構造体。
【請求項２６】
前記交連部ツメが弁葉と一体化して形成されている、
請求項２５のアンカ構造体。
【請求項２７】
さらに、少なくとも１つの、それぞれのパドル部に形成されている交連部ツメをパドル部に縫合するための縫合穴を備えた、
請求項２５のアンカ構造体。
【請求項２８】
さらに、少なくとも流入リングの一部の周囲に配置した生体適合性がある布のカバーリングを備えた、
請求項２５のアンカ構造体。
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
ステント付き弁であって、
圧縮および拡張可能なステント構造体であって、内部領域を有する略管状の本体部と、長手方向軸線と、少なくとも２つのV字型交連構造体とを備え、該少なくとも２つのV字型交連構造体の各々が、前記第１の端及び第２の端を有する第１の交連領域と第１の端及び第２の端を有する第２の交連領域とを備え、第１の交連領域と第２の交連領域とが、交差ポイントにおいて、これらの第２の端で交差する、ステント構造体と、
前記ステント構造体の前記管状の本体部の前記内部領域内に少なくとも部分的に位置決めされる生体弁であって、少なくとも２つの交連延長部とそこから複数の弁尖が延びる内壁とを備える外側管状部分と、隣接する前記交連延長部の間に延びる少なくとも１つのスカラップ付き部分と、を備え、
前記交連延長部の各々が、前記第１および第２の交連領域の各々の第１および第２の端の間の長さに沿って延びる複数の縫合ループで、Ｖ字型交連構造体の一方に直接、取付けられ、
各縫合ループは、前記第１および第２の交連領域の一方に沿って第１および第２の端の間で摺動可能であり、前記ステント構造体の圧縮および拡張の間、前記交連延長部の各々が前記ステント構造体の前記交連領域に対して前記ステント構造体の長手方向軸線に沿って移動できるようにしている、
ことを特徴とするステント付弁。
【請求項２】
少なくとも１つの前記スカラップ付き部分の各々が、前記ステント構造体に固定される、
請求項１に記載のステント付き弁。
【請求項３】
前記スカラップ付き部分が、それらが前記ステント構造体に対してスライド可能となるように前記ステント構造体に縫合される、
請求項２に記載のステント付き弁。
【請求項４】
前記ステント構造体が、外部圧縮力の除去により、圧縮された状態から拡張した状態に自己拡張可能である、
請求項１に記載のステント付き弁。
【請求項５】
前記ステント構造体が、外向きの拡張力の適用により、圧縮された状態から拡張した状態に拡張可能である、
請求項１に記載のステント付き弁。
【請求項６】
前記生体弁の前記管状の外側部が３つの交連延長部を備える、
請求項１に記載のステント付き弁。
【請求項７】
前記生体弁が３つの弁尖を備える、
請求項６に記載のステント付き弁。
【請求項８】
前記Ｖ字型交連構造体の各々の第１および第２の交連領域の第１の端が、前記ステント構造体の流入端と前記スカラップ付き部分の一方の底縁との間に、位置決めされている、
請求項１に記載のステント付弁。
【請求項９】
前記Ｖ字型交連構造体の各々の前記交差ポイントが、前記スカラップ付き部分の一方の底縁と前記ステント構造体の流出端との間に、位置決めされている、
請求項８に記載のステント付弁。
【請求項１０】
前記２つの隣接するＶ字型交連構造体の交差ポイントの間に延びる支持ワイヤを更に備えている、
請求項１に記載のステント付弁。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
目的の組織にシート状移植物を取り付ける装置であって、
先端部および少なくとも一対の叉を有するパイロット部材と、該少なくとも一対の叉は、パイロット部材の先端部が目的の組織に対して押圧されるときに、パイロット・ホールを形成するようにパイロット部材の先端部から延びることと、
パイロット部材の少なくとも一部内に位置されパイロット部材に対して摺動自在なステープル・プッシュ・ロッドと、同ステープル・プッシュ・ロッドは、少なくとも一対の棒を含むことと、同棒はそれぞれ、各棒に押圧力を作用させるべくステープルの表面と係合する寸法に形成されることと、該棒はそれぞれ、パイロット部材の内側表面に沿って叉に対して位置され、これにより、棒は先端側方向に移動されるときに、パイロット・ホールに前進することとを特徴とする目的の組織にシート状移植物を取り付ける装置。
【請求項２】
前記棒は、パイロット部材の内側表面に対して拡張すべく付勢されることを特徴とする請求項１に記載の装置。
【請求項３】
棒はそれぞれ、先端部および基端部を含み、各先端部は、ステープルによって形成される通路内に延びるような寸法に形成され、各基端部は、各先端部の幅より大きな幅を有し、これにより、各基端部の肩部は、ステープルの基端側表面に対して押圧力を作用させるべく該基端側表面に接触することを特徴とする請求項１に記載の装置。
【請求項４】
前記ステープル・プッシュ・ロッドによって搬送されるステープルをさらに備え、同ステープルは、基端部および先端部を有する第１のアームと、基端部および先端部を有する第２のアームと、第１のアームの基端部から第２のアームの基端部まで延びるブリッジと、第１のアームの先端部に隣接する基端部を有するステープルの第１の錨爪と、第２のアームの先端部に隣接する基端部を有するステープルの第２の錨爪とを含むことを特徴とする請求項１に記載の装置。
【請求項５】
前記ステープル・プッシュ・ロッドの棒はそれぞれ、先端部および基端部を含み、各先端部は、錨爪によって形成される通路内に延び、各基端部は、各先端部の幅より大きな幅を有し、これにより、各基端部の肩部は、錨爪の先端側表面に対して押圧力を作用させるべく該先端側表面に接触することと、該押圧力は、錨爪が目標の組織内に押し込まれるときに、第１のアーム、第２のアーム、およびブリッジに押圧力を作用させて張力下に置くこととを特徴とする請求項４に記載の装置。
【請求項６】
錨爪はそれぞれ回転するときに、肩のわずかに先端側の位置にて屈曲することを特徴とする請求項１に記載の装置。
【請求項７】
各棒の基端部は基端側の深みを有し、
各棒の先端部は先端側の深みを有し、
先端側の深みは、各肩のわずかに先端側の位置にて各棒が容易に屈曲するように基端側の深みより小さいことを特徴とする請求項２に記載の装置。
【請求項８】
前記錨爪が回転するときに、棒はそれぞれ錨爪の基端部の基端側にて屈曲することを特徴とする請求項５に記載の装置。
【請求項９】
前記ステープル・プッシュ・ロッドとステープルのブリッジとの間に間隙が設けられるように、ステープルの基端部は十分な長さを有し、これにより、ステープルは、ステープル・プッシュ・ロッドと接触するステープルのブリッジを伴うことなくステープルを張力下に置くことを特徴とする請求項５に記載の装置。
【請求項１０】
叉はそれぞれ各錨爪の長さより大きい長さを有することを特徴とする請求項５に記載の装置。
【請求項１１】
前記押圧力は、第１のアームから偏心した位置にて第１の錨爪の基端側表面に作用される第１の圧力を含むことを特徴とする請求項５に記載の装置。
【請求項１２】
各錨爪に作用される押圧力が横断方向外方に向かう要素を有するように、棒の基端部は相互に分岐するように付勢されることを特徴とする請求項５に記載の装置。
【請求項１３】
各棒のもっとも先端側の部分は、各錨爪の最先端を横断して延びることを特徴とする請求項５に記載の装置。
【請求項１４】
目的の組織にシート状移植物を取り付ける装置であって、
パイロット部材と、同パイロット部材は、先端部、およびパイロット部材の先端部から延びる少なくとも一対の叉を有することと、
該パイロット部材の少なくとも一部内に位置されかつ同パイロット部材の少なくとも一部に対して摺動自在なステープル・プッシュ・ロッドと、同ステープル・プッシュ・ロッドは、ステープルを搬送することと、該ステープルは、基端部および先端部を有する第１のアームと、基端部および先端部を有する第２のアームと、第１のアームの基端部から第２のアームの基端部まで延びるブリッジとを含むことと、
第１のアームの先端部に隣接する基端部を有するステープルの第１の錨爪と、第２のアームの先端部に隣接する基端部を有するステープルの第２の錨爪と、
前記ステープル・プッシュ・ロッドは、一対の棒を含み、各棒は、先端部および基端部を有し、各先端部は、錨爪によって形成される通路内に延び、各基端部は、各先端部の幅より大きな幅を有し、これにより、各基端部の肩部は、錨爪の先端側表面に対して押圧力を作用させるべく先端側表面に接触することと、該押圧力は、錨爪が目標の組織内に押し込まれるときに、第１のアーム、第２のアーム、およびブリッジを張力下に置くことと、
該第１のアームは、張力下に位置かれるときに第１の反応圧力を生成し、該第２のアームは、張力下に置かれるときに、第２の反応圧力を生成することと、
各錨爪に作用させるモーメントを生成すべく該押圧力と反応圧力は協動することと、該モーメントは、各錨爪に作用され、錨爪を回転させ、これにより、各錨爪は、各錨爪の長手方向軸がステープルのアームに対して傾斜するロック位置を形成することとを特徴とする目的の組織にシート状移植物を取り付ける装置。
【手続補正２】
【補正対象書類名】明細書
【補正対象項目名】発明の名称
【補正方法】変更
【補正の内容】
【発明の名称】ステープルを目的の組織に搬送するための装置
【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
哺乳類体内における長期使用のためのインプラントシステムであって：
インプラント［410］；及び
哺乳類の身体の表皮を介して組織応答修飾因子［422］を送達するための非外科的送達手段［420］を含み、
ここで組織応答修飾因子がインプラントへの身体の局在性生物応答を制御するのに有効である、システム。
【請求項２】
前記非外科的送達手段が、クリーム、ゲル、軟膏、噴霧器、パッチ、包帯インサート、マイクロニードルのアレイ、シリンジ、及びこれらの組み合わせから成る群から選択される、請求項１に記載のシステム。
【請求項３】
前記非外科的送達手段が、インテロゲーター、イルミネーター、検出器、シグナルレシーバー、シグナルトランスミッター、エネルギー貯蔵要素、データ貯蔵要素、及びこれらの組み合わせから成る群から選択される要素を含む、請求項１に記載のシステム。
【請求項４】
前記組織応答修飾因子が、コラーゲン阻害剤、抗線維化剤、血管新生剤、脈管形成剤、プロ血管拡張剤、免疫抑制剤、抗増殖剤、抗遊走剤、抗炎症剤、血管拡張剤、抗ヒスタミン剤、タンパク質付着防止剤、代謝抑制剤、合成分子、生物生成分子、透過促進剤、遺伝子治療剤、幹細胞、哺乳類細胞、薬物、及びこれらの組み合わせから成る群から選択される、請求項１に記載のシステム。
【請求項５】
前記非外科的送達手段が、体外且つインプラント近傍に配置される、請求項１に記載のシステム。
【請求項６】
前記システムが、非外科的送達手段として第一の非外科的送達手段と第二の非外科的送達手段とを含み、該第一の非外科的送達手段が第一の組織応答修飾因子を含み、該第二の非外科的送達手段が第二の組織応答修飾因子を含む、請求項５に記載のシステム。
【請求項７】
前記第二の非外科的送達手段の配置に先立って、前記第一の非外科的送達手段が除去される、請求項６に記載のシステム。
【請求項８】
前記インプラントが、身体外表面近傍に体内配置される、請求項１に記載のシステム。
【請求項９】
前記インプラントが体内に完全に包埋される、請求項１に記載のシステム。
【請求項１０】
前記非外科的送達手段が、インプラント近傍の身体外表面に適用される、請求項１に記載のシステム。
【請求項１１】
前記非外科的送達手段が、組織応答修飾因子を経皮的に送達する、請求項１に記載のシステム。
【請求項１２】
前記非外科的送達手段が、インプラント近傍の皮膚組織を介して組織応答修飾因子を体内に注入することを含む、請求項１に記載のシステム。
【請求項１３】
前記非外科的送達手段が、放射源及び圧力源の一方又は双方を含む、請求項１に記載のシステム。
【請求項１４】
前記組織応答修飾因子が、可視光、他の波長の光、超音波、熱、電場、電気パルス、磁場、磁気パルス、及びこれらの組み合わせから成る群から選択される、請求項１に記載のシステム。
【請求項１５】
前記非外科的送達手段が、体内の特定部位への組織応答修飾因子の送達を標的化するのに有効な物質をさらに含む、請求項１に記載のシステム。
【請求項１６】
前記非外科的送達手段が、身体による組織応答修飾因子の取り込みを調節するのに有効な物質をさらに含む、請求項１に記載のシステム。
【請求項１７】
前記非外科的送達手段による組織応答修飾因子の体内への送達が、電気穿孔、イオン泳動、ソノフォレーシス、レーザー誘起圧力、透過促進剤の送達、及びこれらの組み合わせから成る群のうちの少なくとも１つによって補助される、請求項１に記載のシステム。
【請求項１８】
前記インプラントが、皮下、皮下組織、皮下脂肪、真皮、真皮内部位、及び真皮下部位のうち１又は２以上に配置される、請求項１に記載のシステム。
【請求項１９】
前記インプラントが、センサー、薬物送達装置、ポンプ、チップ、及びこれらの組み合わせから成る群から選択される、請求項１に記載のシステム。
【請求項２０】
前記非外科的送達手段による組織応答修飾因子の体内への送達後、インプラントが身体から除去される、請求項１に記載のシステム。
【請求項２１】
前記非外科的送達手段が、インプラント受容用に特定された体内部位近傍の体外部位に配置される、請求項１に記載のシステム。
【請求項２２】
前記インプラント受容用に特定された体内部位にインプラントが配置される、請求項２１に記載のシステム。
【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
サンプリング窓間に複数のアナログ超音波信号を出力する超音波トランスジューサ素子のアレイを備えた超音波画像形成システムにおいて、
アナログ／デジタルコンバータを使用して複数のアナログ超音波信号をデジタルサンプリングして信号サンプルの複数のシーケンスを発生する段階であって、信号サンプルの各シーケンスがサンプリング窓間に対応するトランスジューサ素子により出力されるアナログ超音波信号を表すような段階と、
信号サンプルの複数のシーケンスを圧縮して、圧縮サンプルの複数の対応シーケンスを形成する段階であって、信号サンプルの複数のシーケンスにおける信号サンプルの特定のシーケンスを、前記サンプリング窓間に他のトランスジューサ素子から出力されるアナログ超音波信号を表す信号サンプルとは独立して圧縮して、前記特定のシーケンスよりも少ないビット数を含む、圧縮サンプルの対応シーケンスを形成することを含むような段階と、
圧縮サンプルの複数の対応シーケンスを、データ転送インターフェイスを横切って信号プロセッサへ転送する段階と、
を備えた方法。
【請求項２】
前記データ転送インターフェイスから受け取られた圧縮サンプルの少なくとも一部分を解凍して、解凍サンプルを形成する段階であって、その解凍サンプルに前記信号プロセッサがビーム成形オペレーションを適用するような段階を更に備えた、請求項１に記載の方法。
【請求項３】
前記データ転送インターフェイスから受け取られた圧縮サンプルの少なくとも一部分を解凍して、解凍サンプルを形成する段階であって、その解凍サンプルを前記信号プロセッサがダウン変換するような段階を更に備えた、請求項１に記載の方法。
【請求項４】
前記信号サンプルのシーケンスを、前記圧縮段階の前に中間周波数又は基本帯域へダウン変換する段階を更に備えた、請求項１に記載の方法。
【請求項５】
前記圧縮段階は、圧縮サンプルの複数の対応シーケンスをリアルタイムで発生する、請求項１に記載の方法。
【請求項６】
サンプリング窓間に複数のアナログ超音波信号を出力する超音波トランスジューサ素子のアレイを備えた超音波画像形成システムにおいて、
複数のアナログ超音波信号を受信するための複数のアナログ入力と、デジタルインターフェイスにおける複数のデータポートとを有する集積回路デバイスを備え、この集積回路デバイスは、
アナログ入力に受信される複数のアナログ超音波信号をデジタルサンプリングして、サンプリング窓の間に信号サンプルの複数のシーケンスを発生するように結合される複数のアナログ／デジタルコンバータ（ＡＤＣ）であって、各ＡＤＣが、対応するトランスジューサ素子により出力される対応するアナログ超音波信号をサンプリングして、信号サンプルの対応シーケンスを形成するような複数のＡＤＣと、
信号サンプルの複数のシーケンスを受信するように結合された複数の入力を有しそして圧縮サンプルの複数のシーケンスを発生する圧縮器であって、この圧縮器は、複数の圧縮ユニットを含み、対応する圧縮ユニットが、信号サンプルの対応シーケンスを、前記サンプリング窓の間に他のトランスジューサ素子から出力されるアナログ超音波信号を表す信号サンプルとは独立して圧縮して、前記特定のシーケンスよりも少ないビット数を含む、圧縮サンプルの対応シーケンスを形成し、更に、前記圧縮サンプルの複数のシーケンスが、デジタルインターフェイスを経て信号プロセッサへ転送するために複数のデータポートに与えられるような圧縮器と、
を備えるようにされた装置。
【請求項７】
前記データ転送インターフェイスから圧縮サンプルの複数のシーケンスを受け取りそして解凍サンプルを前記信号プロセッサへ与えるように結合された解凍器を更に備えた、請求項６に記載の装置。
【請求項８】
前記信号プロセッサは、前記解凍サンプルにビーム成形オペレーションを適用する、請求項７に記載の装置。
【請求項９】
前記デジタルインターフェイスから受け取られた圧縮サンプルを記憶するように結合されたメモリと、
前記メモリに結合され、前記記憶された圧縮サンプルを検索しそして解凍サンプルを前記信号プロセッサに与える解凍器と、
を更に備えた請求項６に記載の装置。
【請求項１０】
複数のアナログ／デジタルコンバータ（ＡＤＣ）と圧縮器との間に結合された複数のダウンコンバータを更に備え、各ダウンコンバータは、対応するＡＤＣから信号サンプルのシーケンスを受け取り、そしてその信号サンプルのシーケンスを中間周波数又は基本帯域へ変換して、対応する圧縮ユニットに与えられるダウン変換信号サンプルのシーケンスを形成する請求項６に記載の装置。
【請求項１１】
前記圧縮器は、圧縮サンプルの複数のシーケンスをリアルタイムで発生する、請求項６に記載の装置。
【請求項１２】
前記解凍器は、フィールドプログラマブルゲートアレイ（ＦＰＧＡ）で具現化される、請求項７に記載の装置。
【請求項１３】
前記解凍器は、グラフィック処理ユニット（ＧＰＵ）で少なくとも部分的に具現化される、請求項７に記載の装置。
【請求項１４】
サンプリング窓の間にＮ個のアナログ超音波信号を出力するＮ個の超音波トランスジューサ素子のアレイを含む超音波画像形成システムにおいて、
Ｎ個のアナログ超音波信号を受信するためのＮ個のアナログ入力と、デジタルインターフェイスにおけるＮ個のデータポートとを有する集積回路デバイスを備え、この集積回路デバイスは、
アナログ入力に受信されるＮ個のアナログ超音波信号をデジタルサンプリングして、サンプリング窓の間に信号サンプルのＮ個のシーケンスを発生するように結合されるＮ個のアナログ／デジタルコンバータ（ＡＤＣ）であって、各ＡＤＣが、対応するアナログ超音波信号をサンプリングして、信号サンプルの対応シーケンスを形成し、各信号サンプルがサンプル当たりあるビット数で表されるようなＡＤＣと、
ＭがＮより小さいとすれば、信号サンプルのＮ個のシーケンスを受信するように結合されたＮ個の入力を有しそしてマルチプレクスされた信号サンプルのＭ個のシーケンスを発生するマルチプレクサであって、このマルチプレクサは、各サンプル周期中のＮ個の信号サンプルのビットをＭ個のビットサブセットへとマッピングし、その各ビットサブセットは、デジタルインターフェイスにおけるＮ個のデータポートのうちのＭ個を経て信号プロセッサへ転送するために前記Ｍ個のシーケンスの対応する１つに与えられるようなマルチプレクサと、
を備えるようにされた装置。
【請求項１５】
前記データ転送インターフェイスから前記マルチプレクスされた信号サンプルのＭ個のチャンネルを受け取るように結合されたデマルチプレクサを更に備え、このデマルチプレクサは、Ｍ個のビットサブセットをデマッピングして、各サンプル周期中のＮ個の信号サンプルを再生し、そして信号サンプルのＮ個の再生シーケンスを前記信号プロセッサに与える、請求項１４に記載の装置。
【手続補正書】
【提出日】平成25年5月30日(2013.5.30)
【手続補正１】
【補正対象書類名】特許請求の範囲
【補正対象項目名】請求項７
【補正方法】変更
【補正の内容】
【請求項７】
前記運動信号発生ユニットは、別々の空間軸の加速度計信号を線形結合するように構成され、前記加速度計信号は、最大の加速度の変化を持つ加速度計信号が最大の重みを持つように重み付けられる請求項１に記載の運動決定装置。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
カートリッジ（２２０）の栓（２１８）を駆動するためのスピンドル（２４２；４１４；５４２；６４２）であって、該スピンドルは：
外部表面（５６０）を有する一般的に円形の軸、ここで該一般的に円形の軸が該円形軸の遠位端から近位端に伸びる；
上記一般的に円形の軸の該外部表面（５６０）の第一の部分に沿って供された第一の螺旋溝（２１９；５１９；６１９）、ここで該第一の螺旋溝が第一のピッチを有する；及び
前記一般的に円形の軸の上記外部表面（５６０）の第二の部分に沿って供された第二の螺旋溝（２２１；５２１；６２１）、ここで該第二の螺旋溝（２２１；５２１；６２１）が該第一の螺旋溝（２１９；５１９；６１９）に重なり、ここで該第二の螺旋溝が第二のピッチを有する；を含んでなる、スピンドル。
【請求項２】
前記第一の螺旋溝（２１９；５１９；６１９）が第一の側の該第一のピッチを含み；そして
前記第二の螺旋溝（２２１；５２１；６２１）が、前記第一の螺旋溝（２１９；５１９；６１９）の上記第一の側の反対側の該第の二ピッチを含む、請求項１に記載のスピンドル。
【請求項３】
前記第一の螺旋溝（２１９；５１９；６１９）の前記第一のピッチが、第二の螺旋溝（２２１；５２１；６２１）の前記第二のピッチと同等である、請求項１又は２に記載のスピンドル。
【請求項４】
前記一般的に円形の軸の前記外部表面（５６０）の前記第の二部分に沿って供された前記第二の螺旋溝（２２１；５２１；６２１）が、前記第一の螺旋溝（２１９；５１９；６１９）の実質的に全てに重なる、請求項１〜３の何れか１項に記載のスピンドル。
【請求項５】
前記第一の螺旋溝（２１９；５１９；６１９）及び／又は前記第二の螺旋溝（２２１；５２１；６２１）が螺旋雌溝を含む、請求項１〜４の何れか１項に記載のスピンドル。
【請求項６】
前記第一の螺旋溝（２１９；５１９；６１９）及び／又は前記第二の螺旋溝（２２１；５２１；６２１）が、前記一般的に円形の軸の前記外部表面（５６０）に沿って、前記スピンドル（２４２；４１４；５４２；６４２）の該遠位端の辺りから前記スピンドルの該近位端の辺りに伸びる、請求項１〜５の何れか１項に記載のスピンドル。
【請求項７】
前記外部表面（５６０）の前記第一の部分に沿って供された前記第一の螺旋溝（２１９；５１９；６１９）の前記第一のピッチが、第一の直径を有し、そして
前記外部表面（５６０）の前記第二の部分に沿って供された前記第二の螺旋溝（２２１；５２１；６２１）の前記第二のピッチが第二の直径を有し、ここで前記第一の直径が前記第二の直径と一般的に等しい、請求項１〜６の何れか１項に記載のスピンドル。
【請求項８】
請求項１〜７の何れか１項に記載のスピンドル（２４２；４１４；５４２；６４２）を含んでなる、そして前記スピンドルを駆動するための駆動器（２３０；４０９；５３０）を更に含んでなる、薬物送達デバイスと共に使用するための用量設定機構であって、ここで前記駆動器が、前記スピンドルの前記第一の螺旋溝（２１９；５１９；６１９）と係合する螺旋溝形態を含んでなる、用量設定機構。
【請求項９】
請求項１〜７の何れか１項に記載のスピンドル（２４２；４１４；５４２；６４２）を含んでなる、そして前記スピンドルの前記第二の螺旋溝（２２１；５２１；６２１）と係合する螺旋溝形態を有する薬物送達本体（２４０；４０４、４０８；５１６）を更に含んでなる、薬物送達デバイスと共に使用するための用量設定機構。
【請求項１０】
前記駆動器上及び／又は前記薬物送達本体上の前記螺旋溝が部分的溝形態、好ましくは、一捲き未満の螺旋溝を含む、請求項８又は９に記載の用量設定機構。
【請求項１１】
前記駆動器上及び／又は前記薬物送達本体上の前記螺旋溝が雄螺旋溝を含む、請求項８〜１０の何れか１項に記載の用量設定機構。
【請求項１２】
前記薬物送達デバイス本体上の前記螺旋溝が内部本体（４０８）及び／又は外部本体（２４０；４０４；５１６）を含む、請求項９〜１１の何れか１項に記載の用量設定機構。
【請求項１３】
好ましくは、請求項８〜１２の何れか１項に記載の薬物送達デバイスと共に使用するための用量設定機構であって、該機構は：
ハウジング（２４０；４０４、４０８；５１６）；
該ハウジングに対して回転可能な係合状態にある回転スリーブ（２１０；４０６）；
該回転スリーブに開放可能に連結された駆動器（２３０；４０９；５３０）；及び
二つの重なっている螺旋溝（２１９、２２１；５１９，５２１；６１９、６２１）を有するスピンドル（２４２；４１４；５４２；６４２）、ここで、使用者が前記回転スリーブを回転することによって用量を設定するとき、前記駆動器も回転するように、前記スピンドルが前記駆動器に効果的な方法で連結される；を含む、用量設定機構。
【請求項１４】
リセット可能な用量設定機構を含む請求項１３に記載の用量設定機構であって、ここで前記駆動器（２３０；４０９）が第一の部品（２４４；４１２）及び第二の部品（２４６；４０７）を含み、ここで、前記使用者が該用量を設定するとき、前記第一及び第二の部品がいっしょに回転するように、それらがいっしょに効果的な方法で連結される、用量設定機構。
【請求項１５】
リセット不可能な用量設定機構を含む、請求項１３に記載の用量設定機構。
【請求項１６】
請求項８〜１５の何れか１項に記載の用量設定機構を含む薬物送達デバイスであって、
カートリッジホルダ（２０６）が前記用量設定機構（２０４）に取り外しできるように連結され、前記カートリッジホルダが薬剤を含有するカートリッジ（２２０）を含む、薬物送達デバイス。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
薬物送達デバイス用の用量設定機構であって、該機構は：
外部ハウジング；
外部溝を有する内部ハウジング、ここで該内部ハウジングが、該用量設定機構によって設定された用量を投与するべく、該ドライバーを誘導するように構成され；及び
上記外部ハウジングと上記内部ハウジングの間に配列されたダイアルスリーブ、ここで該ダイアルスリーブが、上記内部ハウジングの上記外部溝と回転可能に係合し、
ここで、該ダイアルスリーブが、用量設定中に、上記外部ハウジング及び上記内部ハウジングの両方に対して回転するように構成され、そして上記外部ハウジングと上記内部ハウジングの両方から離れて並進されるように構成される；を含み、
内部ハウジングが内部螺旋スプラインを含むことを特徴とする、用量設定機構。
【請求項２】
前記内部螺旋スプラインが、用量投与中の螺旋運動において、前記ドライバーを誘導するように構成される、請求項１に記載の用量設定機構。
【請求項３】
前記ドライバーが第一のドライバー部分及び第二のドライバー部分を含み、ここで該第一のドライバー部分及び該第二のドライバー部分が、好ましくは、複数のドライバー部品を含む、請求項１又は２に記載の用量設定機構。
【請求項４】
用量制限器を更に含む、請求項１〜３の何れか一つに記載の用量設定機構であって、該用量制限器が前記内部ハウジングの前記螺旋スプラインにスプラインされる、用量設定機構。
【請求項５】
前記用量制限器が、前記ドライバー上に供された螺旋溝に動作可能なように連結される内部螺旋溝を含む、請求項４に記載の用量設定機構。
【請求項６】
クリッカーを更に含む、請求項１〜５の何れか１項に記載の用量設定機構。
【請求項７】
前記クリッカーが、螺旋運動において前記ドライバーを誘導し、そして前記クリッカー
が前記内部ハウジング内に存在する、請求項６に記載の用量設定機構。
【請求項８】
前記クリッカーが第一のクリッカー部分及び第二のクリッカー部分を含む請求項６又は７に記載の用量設定機構であって、ここで前記第一のクリッカー部分が、前記第二のクリッカー部分のクリッカー歯の第二のセットを係合するように構成されるクリッカー歯の第一のセットを含む、用量設定機構。
【請求項９】
前記クリッカー又は前記第一のクリッカー部分が、前記内部ハウジングの前記螺旋スプラインに係合するように構成された少なくとも一つの前記スプラインを含む、請求項６〜８の何れか１項に記載の用量設定機構。
【請求項１０】
前記クリッカーが、クラッチと回転的に係合されるクリッカー歯の第一のセットを含む、請求項６〜９の何れか１項に記載の用量設定機構。
【請求項１１】
前記クリッカーが前記ドライバーに軸方向に固定される、請求項６〜１０の何れか１項に記載の用量設定機構。
【請求項１２】
前記クリッカーが、用量設定工程中に回転するために、及び／又は投与工程中に回転するように構成される、及び／又は、前記用量設定機構が、リセット工程中に回転するために、リセット可能な用量設定機構を含む、請求項６〜１１の何れか１項に記載の用量設定機構。
【請求項１３】
スピンドルを更に含む、請求項１〜１２の何れか１項に記載の用量設定機構で  あって、
前記用量設定機構によって設定された前記用量を投与するために、前記内部ハウジングが前記ドライバーを誘導するとき、
前記ドライバーが前記スピンドルを押してカートリッジ栓上に作用し、一方、前記カートリッジから前記用量を排出するために、前記スピンドルが遠位方向に並進するように、
前記スピンドルが動作可能なように前記ドライバーに連結される、用量設定機構。
【請求項１４】
前記スピンドルが第一の及び第二の螺旋溝を含む、請求項１３に記載の用量設定機構。
【請求項１５】
前記スピンドルが、用量設定工程中に回転しないように、及び／又は投与工程中に回転するように、及び／又はリセット工程中に回転するように構成される、請求項１３又は１４に記載の用量設定機構。
【請求項１６】
薬物送達デバイス用の用量設定機構であって：
外部ハウジング；
外部溝及び螺旋スプラインを有する内部ハウジング、ここで前記内部ハウジングの前記螺旋スプラインが、前記内部ハウジングの内部表面上に位置付けられ；
前記内部ハウジングの前記外部溝に連結された用量スリーブ；
用量設定工程中に前記用量ダイアルスリーブに回転的に連結されたドライバー；
前記内部ハウジングの前記螺旋スプラインに回転的に連結される少なくとも一つのリブを含む連結部材；を含んでなり、
それにより、前記用量設定工程中に、前記用量スリーブ及び前記ドライバーが共に回転し、前記用量スリーブが前記内部ハウジング上の前記外部溝に追随し、そして前記連結器が前記螺旋スプライン上を外に回転し、そして前記ダイアルスリーブ及びドライバーに対して回転することが可能になり；
そして用量投与工程中に、前記ドライバーが回転的に前記ダイアルスリーブから連結解除されそして回転的に前記連結器と連結されるようになり；
前記連結器が、前記内部ハウジングに対して軸方向に動かないように、そして、前記用量設定工程と前記用量投与工程の間で、又は前記用量投与工程と前記用量設定工程の間で、前記用量設定機構が動かされるとき、前記ドライバーを回転しないように構成されることを特徴とする用量設定機構。
【請求項１７】
少なくとも１つの薬学的に活性な化合物を含有する医薬製剤を含むカートリッジから投薬される薬剤の用量を設定するために設けられる、請求項１〜１６の何れか１項に記載の用量設定機構。
【請求項１８】
薬学的に活性な化合物が、少なくとも１つのヒトインスリン又はヒトインスリン類似体若しくは誘導体、グルカゴン様ペプチド（ＧＬＰ−１）又はその類似体若しくは誘導体、又はエキセンジン−３又はエキセンジン−４、又はエキセンジン−３若しくはエキセンジン−４の類似体若しくは誘導体を含む、請求項１７に記載の用量設定機構。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
呼吸可能なガスを患者に供給するための患者インターフェースであって、前記患者インターフェースが、
患者の鼻先端部とシールを形成するように適合される鼻先端部係合部分と、患者の上唇および／または患者の鼻孔の基部とシールを形成するように適合される上唇係合部分と、患者の鼻孔とシールを形成するように適合される外鼻孔係合フラップと、を有するシール部分を有し、
前記鼻先端部係合部分、前記上唇係合部分および前記外鼻孔係合フラップのすべてが空気経路を画定する支持壁から外側に延在または湾曲するように構成されている、患者インターフェース。
【請求項２】
呼吸可能なガスを患者に供給するための患者インターフェースであって、前記患者インターフェースが、
患者の鼻先端部とシールを形成するように適合される鼻先端部係合部分と、患者の上唇および／または患者の鼻孔の基部とシールを形成するように適合される上唇係合部分と、患者の鼻孔とシールを形成するように適合される外鼻孔係合フラップと、を有するシール部分；ならびに、
前記シール部分の１つ以上の部分を支持する支持部分であって、前記支持部分が異なる程度の支持力で前記シール部分の異なる部分を支持する、支持部分；
を有する、患者インターフェース。
【請求項３】
呼吸可能なガスを患者に供給するための患者インターフェースであって、前記患者インターフェースが、
患者の鼻先端部とシールを形成するように適合される鼻先端部係合部分と、患者の上唇および／または患者の鼻孔の基部とシールを形成するように適合される上唇係合部分と、患者の鼻孔とシールを形成するように適合される外鼻孔係合フラップと、を有するシール部分；ならびに、
前記シール部分を支持する支持部分であって、前記シール部分が、前記シール部分の側面部分において前記支持部分に連結され、前記シール部分が、前記シール部分の前方部分および後方部分において前記支持部分から離隔される、支持部分；
を有する患者インターフェース。
【請求項４】
呼吸可能なガスを患者に供給するための患者インターフェースであって、前記患者インターフェースが、
患者の鼻先端部に係合されるように適合される鼻先端部係合部分を有するシール部分と、
前記シール部分を支持する支持部分であって、前記支持部分が前記シール部分の２つの側面部分において前記シール部分に連結され、前記支持部分が前記鼻先端部係合部分のところにおいて隙間により前記シール部分から離間され、前記鼻先端部係合部分が患者の鼻先端部に適合して患者の鼻先端部と密閉状態を作るように伸びるように適合される、支持部分と、
を有する、患者インターフェース。
【請求項５】
呼吸可能なガスを患者に供給するための患者インターフェースであって、前記患者インターフェースが、
使用時に患者の顔とシールを形成するように適合されるシール部分であって、前記シール部分が、
患者の鼻先端部とシールを形成するように適合される前方ストレッチ部分と、
患者の上唇とシールを形成するように適合される後方ストレッチ部分と、
患者の顔の平面に対して実質的に垂直な力を適用することにより、鼻−唇のしわに隣  接する患者の鼻の領域のところで前記シール部分を固定するように適合される側方押圧  部分と、
を含むシール部分と、
患者の鼻孔に対して垂直な締め付け力を適用することにより患者の鼻孔とシールを形成するように適合される側方ラップ部分と、
を備える、患者インターフェース。
【請求項６】
前記側方ラップ部分および側方押圧部分が前記前方ストレッチ部分または前記後方ストレッチ部分より大きい厚さを有する、請求項５に記載の患者インターフェース。
【請求項７】
前記前方ストレッチ部分が使用時に患者の鼻先端部と密閉状態を作るように伸び、前記後方ストレッチ部分が使用時に患者の上唇と密閉状態を作るように伸びる、請求項５に記載の患者インターフェース。
【請求項８】
前記シール部分上に位置して使用時に患者の鼻孔に係合するように適合される一対のノズルをさらに有する、請求項１から７までのいずれか一項に記載の患者インターフェース。
【請求項９】
各ノズルが、前記ノズルの頂部から前記ノズルの底部まで幅が徐々に増大する湾曲外側表面を有する、請求項８に記載の患者インターフェース。
【請求項１０】
前記シール部分が、クッションと、前記クッションの上側表面上にある膜と、を有する、請求項１から７までのいずれか一項に記載の患者インターフェース。
【請求項１１】
前記膜が前記クッションの外側縁部の上に引っ掛かる、請求項１０に記載の患者インターフェース。
【請求項１２】
前記シール部分に設けられるステムをさらに有し、前記ステムが前記クッションの底部表面を支持する１つ以上の掛止用隆起部を有する、請求項１０に記載の患者インターフェース。
【請求項１３】
前記クッションの下側表面上に下側膜をさらに有する、請求項１０または１２のいずれか一項に記載の患者インターフェース。
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
身体の脈管内に定着されるように構成された定着構造体であって、
流入端と流出端とを有する略円筒状の本体と、
該本体の前記流入端に同一の広がりを持つように形成された流入縁と、を備え、
前記流入縁が、外方に向かって拡開する遠位部分および近位部分を有する少なくとも１つのレールを有している、
ことを特徴とする定着構造体。
【請求項２】
前記流入縁が、単一レールを有している、
請求項１に記載の定着構造体。
【請求項３】
前記流入縁が、遠位側流入リングと近位側流入リングとを有する二重レールを有している、
請求項１に記載の定着構造体。
【請求項４】
前記遠位側流入リングと近位側流入リングとが、複数の頂部と複数の谷部とを形成する正弦波パターンに形成されている、
請求項３に記載の定着構造体。
【請求項５】
前記近位側流入リングの前記複数の頂部の少なくとも１つが、前記遠位側流入リングの前記複数の谷部の少なくとも１つに作動的に連結されている、
請求項４に記載の定着構造体。
【請求項６】
前記流入縁から軸線方向に延びる複数のフィンガ要素をさらに備えている、
請求項１に記載の定着構造体。
【請求項７】
前記近位側流入リングおよび遠位側流入リングから軸線方向に延びる複数のフィンガ要素をさらに備えている、
請求項３に記載の定着構造体。
【請求項８】
少なくとも１つのレールを有する流出縁を更に備え、
該流出縁が、前記略円筒状の本体に作動的に連結されている、
請求項１に記載の定着構造体。
【請求項９】
前記流出縁が、断面略Ｃ字状の凹状接地領域を形成する拡開した遠位部分および近位部分を備えている、
請求項８に記載の定着構造体。
【請求項１０】
前記流入縁が、中央流入リングに作動的に連結された遠位流入リングと、前記中央流入リングに作動的に連結された近位流入リングとを有する三重レールを備えている、
請求項１に記載の定着構造体。
【請求項１１】
前記遠位流入リングと前記中央流入リングと前記近位流入リングとが、複数の頂部と複数の谷部とを有する正弦波パターンに形成されている、
請求項１０に記載の定着構造体。
【請求項１２】
前記遠位流入リングの頂部が前記中央流入リングの谷部に作動的に連結され、
前記中央流入リングの頂部が前記近位流入リングの谷部に作動的に連結されている、
請求項１１に記載の定着構造体。
【請求項１３】
前記流入縁と前記流出縁を連結する複数の長手方向支柱を更に備えている、
請求項１に記載の定着構造体。
【請求項１４】
前記支柱が、軸線方向スロットと細長い縦部材とを有する略パドル形状のブレードを備えている、
請求項１に記載の定着構造体。
【請求項１５】
前記細長い縦部材が、前記流入縁に連結され、
前記ブレードが、前記流出縁に連結されている、
請求項１４に記載の定着構造体。
【請求項１６】
前記ブレードの連結された２つの交連タブを有する生体弁を更に備えている、
請求項１５に記載の定着構造体。
【請求項１７】
前記複数の長手方向支柱が、２または３本の支柱である、
請求項１４に記載の定着構造体。
【請求項１８】
大動脈弁輪に位置決めされるように構成された人工心臓弁であって、
流入端と出口端との間の複数の支柱を有する請求項１乃至１７のいずれか１項に記載の略円筒状の定着構造体を備え、
少なくとも１本のレールの外方に拡開した遠位部分および近位部分が、断面略Ｃ字状の凹状接地領域を形成し、
流入端および流出端を有する略管状の弁構造を形成するように、それらの側端の少なくとも一部に沿って共に連結された複数の小葉を有する柔軟な人工心臓弁であって、前記流出端は、前記小葉と一体化して形成された複数の交連タブを含み、前記交連タブは、前記支柱に連結された柔軟な人工心臓弁と、を備え、
前記心臓弁は、隣接する小葉の前記流出端が互いに係合する閉位置と、隣接する小葉の流出端が前記側端沿いを除いて互いから分離される開位置との間で可動であり、前記小葉の前記側端の縫合された部分が、部分的に閉鎖した位置に向かって前記小葉を付勢する、
ことを特徴とする人工心臓弁。
【請求項１９】
前記断面略Ｃ字状の凹状接地領域の前記遠位部分は、前記大動脈弁輪の前記遠位側の近位に位置するように構成され、
前記断面略Ｃ字状の凹状接地領域の前記近位部分は、前記大動脈弁輪の前記近位側の近位に位置するように構成されている、
請求項１８に記載の人工心臓弁。
【請求項２０】
前記断面略Ｃ字形の凹状接地領域の前記近位部分は、ヒス束との接触を回避するように構成されている、
請求項１９に記載の人工心臓弁。
【請求項２１】
前記断面Ｃ字形の凹状接地領域は、前記人工心臓弁と前記大動脈弁輪との間にシールを形成するように構成されている、
請求項１８に記載の人工心臓弁。
【請求項２２】
前記シールは、弁周囲漏出を実質的に低減または防止する、
請求項２１に記載の人工心臓弁。
【請求項２３】
前記シールは、前記心臓弁の移植部位からの移動を実質的に防止する、
請求項２１に記載の人工心臓弁。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
防曇コーティングでコーティングされた表面を有する物品であり、
該コーティングは、
第１の親水性ポリマー；と、
第２の親水性ポリマー；と、を含み、かつ、
該第１の親水性ポリマー及び第２の親水性ポリマーが、分子的にブレンドされる、
前記物品。